(57)【要約】【課題】操作方法が判り易く簡単に操作可能な加熱調理器を提供する。【解決手段】  本体１と、本体１の加熱室２と、加熱室２の前面を覆うドア３と、被加熱物を加熱する加熱手段と、本体１またはドア３に設け前記加熱手段の加熱条件を設定する操作表示部７とを備え、操作表示部７は、複数の条件から希望する加熱条件を設定するために階層を深くして導くタッチパネル付き表示部７０と、使用者の好みに応じて設定を記憶できる個別設定手段１５３を有し前記加熱条件の設定内容を限定して入力回数を少なくして設定を完了できる簡単入力手段とを設けたものである。【選択図】図９
2014214917.tif 000002
【特許請求の範囲】
【請求項１】
本体と、
該本体内に設けられた加熱室と、
該加熱室の前面開口を覆うドアと、
被加熱物を加熱する加熱手段と、
前記本体または前記ドアに設け前記加熱手段の加熱条件を設定する操作表示部と、を備え、
該操作表示部には、
複数の条件から希望する加熱条件を設定するために階層を深くして導くタッチパネル付き表示部と、
使用者の好みに応じて設定を記憶できる個別設定手段を有し前記加熱条件の設定内容を限定して入力回数を少なくして設定を完了できる簡単入力手段と、
を設けたことを特徴とする加熱調理器。
【発明の詳細な説明】
【技術分野】
【０００１】
本発明は、加熱調理器に関するものである。
【背景技術】
【０００２】
従来の、マグネトロン等で構成される高周波加熱手段を有する電気式オーブンレンジ等の加熱調理器は、複数の加熱手段を備え、手動調理と自動調理で多様な調理が行えるようになっている。そのため判りやすい操作が望まれている。
【０００３】
特許文献１では、加熱手段の加熱条件を設定する操作表示部６は、複数の条件から希望する加熱条件を設定するために階層を深くして導くタッチパネル付き表示部７０と、汎用性の高い特定の前記加熱手段について設定できる加熱条件を限定した簡単設定キーとを設けたものである。
【先行技術文献】
【特許文献】
【０００４】
【特許文献１】特開２０１２−２２５５２８号公報
【発明の概要】
【発明が解決しようとする課題】
【０００５】
しかしながら、上記の従来技術に示すものは、事前に簡単設定キーの設定できる範囲が決められ、使用者が自由に自分好みの設定を記憶することができなかった。
【０００６】
本発明の目的は、前記の問題点を解決するもので、操作方法と表示方法が判り易く簡単に操作が可能な加熱調理器を提供することにある。
【課題を解決するための手段】
【０００７】
本発明は上記の問題を解決するためになされたものであり、本体と、該本体内に設けられた加熱室と、該加熱室の前面開口を覆うドアと、被加熱物を加熱する加熱手段と、前記本体または前記ドアに設け前記加熱手段の加熱条件を設定する操作表示部と、を備え、該操作表示部には、複数の条件から希望する加熱条件を設定するために階層を深くして導くタッチパネル付き表示部と、使用者の好みに応じて設定を記憶できる個別設定手段を有し前記加熱条件の設定内容を限定して入力回数を少なくして設定を完了できる簡単入力手段と、を設けたものである。
【発明の効果】
【０００８】
以上説明した実施例によると、前記操作表示部は、複数の条件から希望する加熱条件を設定するために階層を深くして導くタッチパネル付き表示部と、使用頻度の高い特定の前記加熱手段について設定できる加熱条件を限定し、個別の設定条件を記憶できるようにした入力手段を設けることで設定が容易になる。
【図面の簡単な説明】
【０００９】
【図１】一実施例の加熱調理器の正面図である。
【図２】一実施例の加熱調理器の（ａ）上面図、（ｂ）側面図である。
【図３】同加熱調理器の加熱室にベーカリー手段を装着したドアを開いた状態の正面斜視図である。
【図４】同加熱調理器の加熱室に装着ガイドを装着したドアを開いた状態の正面斜視図である。
【図５】図３のＡ−Ａ断面図である。
【図６】図３のＢ−Ｂ断面図である。
【図７】図１の加熱調理器を上方から見た部分断面図である。
【図８】一実施例の加熱調理器のＬＥＤ表示部の説明図である。
【図９】同加熱調理器の操作表示部のタッチパネル付き表示部と操作キー群の説明図である。
【図１０】パン焼き入力手段からの設定方法の説明図である。
【図１１】予約入力手段の設定方法の説明図である。
【図１２】具材入力手段の設定方法の説明図である。
【図１３】簡単パン焼き入力手段の設定方法の説明図である。
【発明を実施するための形態】
【００１０】
以下、本発明の一実施例について添付図面を用いて詳細に説明する。
【００１１】
図１〜図７に示すように、本実施例の加熱調理器は、本体１に加熱調理する被加熱物である食品等の被調理物を収容する加熱室２と、加熱室２の前方に設けられ被調理物を出し入れする開閉自在なドア３と、ドア３の上部には取っ手３ａを備えている。
【００１２】
加熱室２には、装着ガイド３０を介して調理容器としてのベーカリー手段４０が着脱自在に設置され、ベーカリー手段４０を用いることで、パンを焼成することができる。
【００１３】
加熱室２の底面２ａには、前側左右の２ヶ所と奥側中央１ヶ所の計３ヶ所に重量センサ２ｂが設けられ、重量センサ２ｂには、セラミックのような低損失の誘電体素材で構成されたテーブルプレート５（図５では点線で示す）が着脱自在に載置される。マイクロ波加熱を行う際には、重量センサ２ｂにテーブルプレート５を載置し、テーブルプレート５上に載置された食品の質量を測定してマイクロ波加熱の熱量または加熱時間を制御する。一方、ベーカリー手段４０を用いた調理を行う際には、テーブルプレート５を取り外して調理を行うが、この詳細は後記する。
【００１４】
加熱室２の底面２ａ、略中央に回転アンテナ６が設けられている。そして、加熱室２の下方に設けた機械室１１には、回転アンテナ６を駆動するアンテナ駆動モータ６ａが設けられている。回転アンテナ６の側方には、マイクロ波を生成する加熱手段であるマグネトロン８が設けられ、マグネトロン８と回転アンテナ６とは導波管９により接続されている。マグネトロン８で発生したマイクロ波は、回転アンテナ６から放射されて加熱室２に供給され、加熱室２に載置された食品（図示せず）を加熱する。また機械室１１には、制御装置１０が設けられており、制御装置１０は、加熱調理器の動作制御、スイッチやセンサ類からの入力信号に基づく制御を行う。
【００１５】
加熱室２の外側には、加熱室２側に吐出口を向けた加熱手段であるボイラ５０が設けられている。ボイラ５０は、水タンク５０ａから供給された水をヒータで加熱して加熱室２に蒸気を供給するものである。また、加熱室２の外壁には、加熱室２の内部の温度を測定する温度センサ２ｃが設けられている。
【００１６】
また、機械室１１の、マグネトロン８、回転アンテナ６が存在しない位置には、パンの生地Ｂをこねる際に使用する構成として、加熱室２の底面２ａを貫通する攪拌駆動軸１６と、攪拌駆動軸１６に動力を与える攪拌モータ１７と、攪拌駆動軸１６および攪拌モータ１７を減速しながら接続する減速手段１８とが設けられている。減速手段１８としては、攪拌モータ１７の軸に設けられた小プーリ１８ａと、攪拌駆動軸１６に設けられた大プーリ１８ｂと、両プーリ１８ａ、１８ｂ間に巻き回されたベルト１８ｃを用いている。このような減速手段１８を用いることで、攪拌モータ１７の回転を減速して攪拌駆動軸１６に伝達することができる。
【００１７】
加熱室２の上には、加熱室２の上面には加熱手段である上ヒータ１２が配置され、上ヒータ１２は加熱室２の内部を輻射熱で加熱する。
【００１８】
加熱室２の背面には、熱風モータ１３ａによって回転する熱風ファン１３ｂが配置されるとともに、加熱手段である熱風ユニット１３が配置されている。熱風ユニット１３は、吸気口１３ｄから吸気される空気を加熱する熱風ヒータ１３ｃで構成される。
【００１９】
この熱風ユニット１３を用いて、加熱室２の空気を吸気口１３ｄから吸引して加熱した後、加熱室２の背面に設けられた熱風噴出口１５から加熱室２に噴出させることで対流により加熱し、オーブン加熱を行う。
【００２０】
ベーカリー手段４０は、パン生地Ｂを入れるパン焼成容器４１と、その上端に載置され、加熱室２の上部内面近傍に配置される具材容器４２とを備えている。
【００２１】
パン焼成容器４１の下部には、駆動連結部４３が設けられ、加熱室２の攪拌駆動軸１６に接続可能であり、攪拌羽根４５に駆動力を伝達する。
【００２２】
ベーカリー手段４０を加熱室２の底面２ａにセットする際は、装着ガイド３０を用いることで、装着ガイド３０のガイド底面３２にベーカリー手段４０を載置さて、ベーカリー手段４０の脚部として機能する。
【００２３】
パン焼成容器４１の上方に載置される具材容器４２は、第一の具材投入手段４２１と、第二の具材投入手段４２２とを備えている。第一の具材投入手段４２１は、パン生地Ｂを発酵させる酵母である粉体あるいは顆粒のドライイースト等を保持し、外部からの操作によってこれらをパン焼成容器４１に投入するものである。第二の具材投入手段４２２は、レーズンやナッツ等の具材を保持し、外部からの操作によってこれらをパン焼成容器４１に投入するものである。なお、これらの具材投入手段は、具材投入駆動手段４２５によりその底面が開放されるようになっている。
【００２４】
具材投入駆動手段４２５は、アクチュエータとして機能するソレノイド４２６と、ソレノイド４２６により駆動されるプッシュロッド４２７と、プッシュロッド４２７により駆動される駆動レバー４２８と、を備えて構成されている。駆動レバー４２８に対向する加熱室２の側壁には、駆動レバー４２８を通す図示しない貫通穴が設けられており、図７に示すように、駆動レバー４２８は、この貫通穴（不図示）を通じて加熱室２に装着されたベーカリー手段４０の具材容器４２の第一の具材投入手段４２１および第二の具材投入手段４２２を操作する。なお、具材投入駆動手段４２５のアクチュエータとして、ソレノイド４２６を用いたが、これに代えてモータ等を用いてもよい。
【００２５】
具材容器４２には、具材投入駆動手段４２５の駆動レバー４２８と嵌合する複数の作用穴４２３が設けられている。この作用穴４２３は、具材投入駆動手段４２５に近接して設けられることが望ましく、加熱室２の側壁に近接して互いに対向した位置に設けられている。
【００２６】
また、パン焼成容器４１内に熱風を導入できるよう、具材容器４２の下端の前後方向には、図６に示すように、熱風の流通が可能な通風路４２９が設けられている。
【００２７】
次に、図１、図８、図９を用いて操作表示部７について説明する。
【００２８】
ドア３には、その中央部に大きく形成される窓部３ｂを備えており、調理中の加熱室２を覗き見ることができる。また、窓部３ｂの下には、設けられたＬＥＤ表示部１００によって、調理時に使用されている加熱手段が表示されるようになっている。さらに、ドア３の下側には操作表示部７が設けられている。
【００２９】
操作表示部７は、ドア３の横幅全体に渡って設け、その操作表示部７の横幅の略中央にタッチパネル付き表示部７０（詳細は後述）を設け、タッチパネル付き表示部７０の右に隣接して、横２個で２段に配列した４個の操作キーでなる操作キー群６０を設けている。操作キー群６０による操作は、タッチ式スイッチまたは、機械式スイッチ（機械的に接点を開閉するスイッチ）のいずれでも良い。
【００３０】
また、操作表示部７の右方の上下の位置関係をもった上側にスタート入力手段６ａ、下側にとりけし入力手段６ｂを並べて配置している。
【００３１】
スタート入力手段６ａは、被調理物の重量を重量センサ２ｂによって測定して重量に応じた調理時間を自動で決定してレンジ加熱手段によって温める自動調理と、後述するタッチパネル付き表示部７０で操作した設定によって調理を開始するときに押す調理開始を兼ねている。とりけし入力手段６ｂは、調理を停止するものである。
【００３２】
次にタッチパネル付き表示部７０について説明する。タッチパネル付き表示部７０は、表示するＬＣＤ表示部７０ｂの表面に、使用者の指にて押下された時に、押下された位置の静電容量の変化を捉えて入力と判断できるタッチパネル７０ａを設けて、ＬＣＤ表示部７０ｂに各種機能やメニューを表示し、各キーの位置に対応したタッチパネル７０ａの静電容量が変化した場合に、該当したキーが入力したと制御装置１０が判断するものである。
【００３３】
図９は、本体１に通電された待機状態にＬＣＤ表示部７０ｂで表示しているメニュー画面である。表示は大きく上下段に分かれ、上段側にオート調理を示すオート表示７１、下段側に手動加熱を示す手動表示７２とお手入れ用の設定キーが配置されている。
【００３４】
オート表示７１に示されている７３は、あたため入力手段で、主にご飯、味噌汁やおかずなどの被加熱物の重量を重量センサ２ｂによって測定して、最適の食味温度に自動にあたためる設定を行う入力手段である。
【００３５】
７４は、番号入力手段で、加熱調理器に付属する調理ブックに掲載されている調理を見て作ってみたくなった調理を設定する時、そこに記載されている番号を入力して調理方法を設定するための入力手段である。
【００３６】
７５は、解凍入力手段で、冷凍した刺身などを解凍するために設定する入力手段である。
【００３７】
７６は、来歴入力手段で、使用したメニューの来歴から調理方法を設定するための入力手段である。
【００３８】
７７は、パン焼き入力手段で、パン焼成容器４１を使用して原材料を練り、その後、発酵、焼き上げの各工程を経てパンを作るための入力手段で詳細は後述します。
【００３９】
一方、手動表示７２に示されている７８は、レンジ加熱入力手段で、マイクロ波によって被加熱物を加熱する設定を行う入力手段である。
【００４０】
７９は、ヒータ加熱入力手段で、マイクロ波以外のヒータやスチーム加熱によって被加熱物を加熱するための入力手段である。
【００４１】
８０は、お手入れ入力手段で、各種お手入れなどの設定や時計などの設定を行う入力手段である。
【００４２】
次に、操作キー群６０について説明する。
【００４３】
操作キー群６０は、タッチパネル付き表示部７０の右に隣接して、横２個で２段に配列した４個の操作キーで構成されている。
【００４４】
６１は、戻る入力手段で、タッチパネル付き表示部７０の操作中に、誤入力を訂正するときに一つ前の階層に戻るための入力手段である。
【００４５】
６２は、教えて入力手段で、音声ガイドを報知させる入力手段である。
【００４６】
６３は、簡単入力手段の簡単レンジ入力手段で、手動レンジ加熱の設定を容易に設定できるように設けたもので、例として、レンジ加熱の火力を使用頻度の高い火力から２〜３種類選択し、加熱時間は１０分未満に限定することでレンジ加熱の設定を容易にした入力手段である。
【００４７】
６４は、簡単入力手段の簡単パン焼き入力手段である。詳細は後述する。
【００４８】
次に、食パンを材料から作るためにパン焼き入力手段７７を使用して作る方法と、その設定方法について詳細に説明する。
【００４９】
食パン作りは、図１、図５〜図７に示すように、パン焼成容器４１に攪拌羽根４５を装着し、付属の調理ブックに記載されているパンの材料となる強力粉、水、砂糖、塩などを規定の分量を入れ（練る事でパン生地Ｂとなる）、パン焼成容器４１の上部に具材容器４２を載せる。具材容器４２の第一の具材投入手段４２１側にはイーストを入れる。
【００５０】
前記材料の準備ができたら、加熱室２に装着ガイド３０を設置して、装着ガイド３０のガイド底面３２にベーカリー手段４０を載置して固定する。
【００５１】
次に、ドア３を閉めて、操作表示部７に設けられたタッチパネル付き表示部７０に配置されているパン焼き入力手段７７について説明する。
【００５２】
図９のパン焼き入力手段７７に触れて入力すると、設定画面は、次の階層図１０（ａ）に進み設定表示部１１０に入力された「ベーカリー機能」が表示され、ベーカリー機能が設定されたことを示す。ベーカリー機能は、主に食パンを作るためのオートベーカリー入力手段１１１、バターロールなど一度取り出し成形してオーブンで焼いてパンを作るための手作りベーカリー入力手段１１３、主におもちやうどんを作るのに材料を練るためのねり・混ぜ入力手段１１２、調理ブックに掲載されている調理を見ながら記載されている番号で設定ができるメニュー番号入力手段１１４の四項目から設定を選択できる。
【００５３】
今回は、食パンを作る例を説明する。ここではオートベーカリー入力手段１１１を入力する。
【００５４】
オートベーカリー入力手段１１１を入力すると、設定画面は、次の階層図１０（ｂ）に進み設定表示部１１０に入力された「オートベーカリー」が表示され、オートベーカリーが設定されたことを示す。オートベーカリーでは六つ異なったパンの設定が可能で、その違いは、主に食パンを作る材料の違いで入力を分類している。
【００５５】
主材料を小麦からつくる小麦パン入力手段１２１、主材料にお米やご飯を入れた米粉ごはんパン入力手段１２３、大豆を使用したパンで主材料に豆腐を使用したソイパン入力手段１２５、主材料に干天などを使用したカロリーカットパン入力手段１２２、主材料に野菜や果物を入れた野菜・くだものパン入力手段１２４、主材料の牛乳の割合を多く入れたりチーズを入れるカルシウムパン入力手段１２６からなる。この設定画面では、小麦パン入力手段１２１を入力する。
【００５６】
小麦パン入力手段１２１を入力すると、設定画面は、次の階層図１０（ｃ）に進み設定表示部１１０に入力された「小麦パン」が表示され、小麦パンが設定されたことを示す。小麦パンの設定画面では、主に小麦を使用して作るパンの種類に応じて複数の入力を設け、その入力は一度に表示しきれないので、表示を複数のページに分けて表示できるようにしている。複数ページが有る表示はページ表示１３５に表示し、全部で３ページ有り、１ページ目を表示していることを示している。表示させるページを次ページに進めたり、前のページに戻すには、次ページ１３７を入力することで２ページ目、３ページ目へと表示を切り替えることが可能で、前ページ１３６を入力することで、前ページへと戻って表示することができる。
【００５７】
小麦パンの設定画面の１ページを説明する。食パンを作る食パン入力手段１３１、パンのふちの柔らかいソフト食パン入力手段１３３、バターの風味を多くしたバターリッチパン入力手段１３２、フランスパンを作る山形フランスパン入力手段１３４である。２ページ、３ページには例えば、ライ麦パンや全粒粉パンを作るための入力手段が設けられている（図示なし）。
【００５８】
食パン１３１を入力すると、設定画面は、次の階層図１０（ｄ）に進み設定表示部１１０に入力された「食パン」が表示され、食パンが設定されたことを示す。この設定画面は、食パンを作るための各種設定を入力するもので、予約を行うための予約入力手段１４１と予約の状況を表示する予約表示１４２、パンにレーズンなどを入れるための具材入力手段１４３とその設定状態表示する具材表示１４４、焼き上がりの状態を調節する仕上がり入力手段１４５、各種設定した内容を確認して次に進む決定入力手段１４９を設けている。仕上がり入力手段１４５では仕上がりを強くする強め入力手段１４６と仕上がりを弱くする弱め入力手段１４７と設定状態を表示する仕上がり表示１４８から構成している。
【００５９】
予約、具材ともに無い状態で決定入力手段１４９を入力すると、食パンの設定が完了し次の設定画面となる図１０（ｅ）に進む。この設定画面では、食パンの設定が完了して調理が開始できる状態に成ったことを示し、手順表示１５４には、「スタートを押して調理を開始」の表示を行って、次に操作するスタート入力手段６ａを案内している。また、ここでは、調理に必要な道具を文字で示す文字案内１５１と図で示す図案内１５２、そして、ひとつ手前の設定画面で設定した予約状況、具材の有無の状況、仕上がり設定状況が確認できる個別設定手段１５３が表示され、変更したい場合は、個別設定手段１５３を入力することでひとつ手前の設定画面へと戻ることが可能になっている。また、食パンを作るのに必要な材料が知りたいときは材料表示手段１５５を入力することで、付属の調理ブックに掲載されている内容と同じ表示をする。
【００６０】
スタート入力手段６ａを入力すると、調理が開始し、表示が図１０（ｆ）に示す内容が表示される。
【００６１】
焼き上がり時刻を表示する完成時刻表示１６１、調理の進行を逐次表示する工程表示１６５（説明のため全工程を表示）、予約状況を表示する予約表示１６２、具材の有無を表示する具材表示１６３、仕上がり調節の状況を表示する仕上がり表示１６４、調理を一時停止するための一時停止入力手段１６６によって構成している。
【００６２】
次に、予約方法について説明する。
【００６３】
図１０（ｄ）の設定画面で予約入力手段１４１を入力すると、設定画面は、図１１（ａ）に進み予約を行う設定画面へ進む。ここでは、二種類の予約時刻から選んで設定できるように、予約１入力手段１７１と予約２入力手段１７３を設け、予約１入力手段１７１に設定されている予約時刻を表示する予約１表示１７２（２２時が設定されている）と予約２入力手段１７３に設定されている予約時刻を表示する予約２表示１７４（１８時が設定されている）を表示し、予約が不要の場合に入力する予約しない入力手段１７５、今設定されている予約時刻を変更するときに入力する時刻変更入力手段１７６と現在時刻を表示する現在時刻表示１７８と予約を完了する決定入力手段１４９とで構成している。
【００６４】
予約は、予約１入力手段１７１と予約２入力手段１７３に入力されている時刻に変更が無い場合は、どちらかの入力手段を入力してから決定入力手段１４９を入力することで予約が完了する。
【００６５】
また、予約時刻を変更する場合は、どちらかの入力手段を入力してから時刻変更入力手段１７６を入力する。ここでは、予約１入力手段１７１の予約時刻を変更するため、予約１入力手段１７１を入力し、時刻変更入力手段１７６を入力すると、図１１（ｂ）の予約時刻の設定画面に進み設定表示部１１０に、予約１の変更を受け付けたことを表示する「予約１時刻変更」が表示される。この設定画面では、時刻を変更できるように時刻の時部を変更する時部アップ１８２と時部ダウン１８３と分部アップ１８４と分部ダウン１８５と設定された時刻を表示する時部表示１８１と分部表示１８２から構成している。
【００６６】
図１１（ｃ）は時刻を６時に変更した表示状態を示し、この状態で決定入力手段１４９を入力すると図１１（ｄ）に示す予約設定画面に戻り、予約１入力手段１７１の予約１表示１７２に「６：００」が設定されていることを表示する。
【００６７】
予約は、予約１入力手段１７１を入力して決定入力手段１４９を入力すると図１１（ｅ）に示すように、食パンの焼き上がり時刻が予約表示１４２に「６：００」と表示され設定されたことが確認できる。
【００６８】
次に、具材を入れる場合の設定について説明する。
【００６９】
図１０（ｄ）の具材入力手段１４３を入力すると、設定画面は、図１２（ａ）に移行する。具材の投入方法には、第二の具材投入手段４２２にレーズンやナッツ等の具材を保持し、具材投入駆動手段４２５によって自動にパン生地Ｂに入れる方法と報知して手動で入れる方法がある。また、パン生地Ｂに入れた具材の混ぜ方として、普通に混ぜるのと粗く混ぜる二種類の方法を備えている。自動投入の普通混ぜ入力手段１９１、自動投入の粗混ぜ入力手段１９３、手動投入普通混ぜ入力手段１９２、手動投入の粗混ぜ入力手段１９４、具材なし入力手段１９５を備えている。ここで、手動投入普通混ぜ入力手段１９２を入力し決定入力手段１４９を入力すると図１２（ｂ）に示すように具材表示１４４に設定した「手動投入［混ぜ］」が表示される。
【００７０】
この予約と具材の設定は、必要時に毎回設定する必要がある。
【００７１】
次に、簡単パン焼き入力手段６４について説明する。
【００７２】
図９の簡単パン焼き入力手段６４を押下して入力すると、タッチパネル付き表示部７０の表示が図１３に示す設定画面に移行する。設定表示部１１０に入力された「簡単食パン」が表示され、簡単食パンが設定されたことを示す。
【００７３】
簡単パン焼き入力手段６４は、同じ食パンを作るのに前述したパン焼き入力手段７７から各種設定を入力した場合に比べ、一度の入力で設定が完了し、スタート入力手段６ａが入力できる状態に進む。そのため、常に同じ食パンを調理したい場合は簡単に設定が終了することができる。そして、この簡単パン焼き入力手段６４から設定に入った場合は、予約や具材の有無や仕上がりの各種設定の個別設定手段１５３を記憶して、変更されるまで常に同じ設定となるようにしている。また、調理できるパンも食パン以外に、好みに応じて米粉パンなど他のパンに変更できるようにしても良い。
【００７４】
以上説明した実施例によると前記操作表示部は、複数の条件から希望する加熱条件を設定するために階層を深くして導くタッチパネル付き表示部と、使用頻度の高い特定の前記加熱手段について設定できる加熱条件を限定し、個別の設定条件を記憶できるようにした入力手段を設けることで設定が容易になる。
【符号の説明】
【００７５】
１  本体、
２  加熱室、
３  ドア、
７  操作表示部、
６０  操作キー群、
６３  簡単レンジ入力手段
６４  簡単パン焼き入力手段
７０  タッチパネル付き表示部、
１５３  個別設定手段
【図１】
2014214917.tif 000003
【図２】
2014214917.tif 000004
【図３】
2014214917.tif 000005
【図４】
2014214917.tif 000006
【図５】
2014214917.tif 000007
【図６】
2014214917.tif 000008
【図７】
2014214917.tif 000009
【図８】
2014214917.tif 000010
【図９】
2014214917.tif 000011
【図１０】
2014214917.tif 000012
【図１１】
2014214917.tif 000013
【図１２】
2014214917.tif 000014
【図１３】
2014214917.tif 000015